(57)【要約】      （修正有）【課題】組み立てが簡単で、強度に優れ、包装箱としても利用可能な陳列用箱体を提供する。【解決手段】陳列用箱体１０は、段ボール材で形成され、対向する二つの開口面１０ａ，１０ｂが残余の四つの平面を構成する隔壁１１〜１４からそれぞれ延設されたフラップ１１ａ〜１４ａによって開閉可能に閉塞される六面体形状の箱本体１５と、開口面１０ａ，１０ｂを閉塞したフラップ１１ａ〜１４ａに内接した状態で箱本体１５内に配置される支持部材１６と、を備え、開口面１０ａ，１０ｂがフラップ１１ａ〜１４ａで閉塞された状態を保つための拘束手段がフラップ１２ａ，１２ｂ，１４ａと支持部材１６との間、及びフラップ１１ａ，１３ａ，１３ｂとフラップ１２ａ，１２ｂ，１４ａとの間に設けられている。【選択図】図１
0003152457.tif 000002
【実用新案登録請求の範囲】
【請求項１】
折り曲げ可能な板材で形成され、対向する二つの開口面が残余の四つの平面を構成する隔壁からそれぞれ延設された複数のフラップによって開閉可能に閉塞される六面体形状の箱本体と、前記開口面を閉塞した前記フラップに内接した状態で前記箱本体内に配置される支持部材と、を備え、前記開口面が前記フラップで閉塞された状態を保つためのフラップ拘束手段を前記フラップと前記支持部材との間若しくは前記フラップ同士の間の少なくとも一方に設けたことを特徴とする陳列用箱体。
【請求項２】
前記支持部材として、二枚の板材を前記開口面と直交する姿勢でＸ状に交差させて配置した請求項１記載の陳列用箱体。
【請求項３】
前記フラップ拘束手段として、前記フラップで前記開口面を閉塞したときに前記支持部材に係合する係止片を前記フラップに設けた請求項１または２記載の陳列用箱体。
【請求項４】
前記フラップ拘束手段として、前記フラップで前記開口面を閉塞したときに当該フラップの一部が嵌入可能なスリットを他の前記フラップに設けた請求項１〜３のいずれかに記載の陳列用箱体。
【請求項５】
対向する二つの前記開口面のうちの一方の前記開口面を閉塞する前記フラップから略垂直方向に起立する舌片部を設け、他方の前記開口面を閉塞する前記フラップに前記舌片部が嵌入可能な長孔部を開設した請求項１〜４のいずれかに記載の陳列用箱体。
【考案の詳細な説明】
【技術分野】
【０００１】
本考案は、スーパーマーケット、デパートあるいは商店などにおいて販売される各種商品を売り場に陳列する際に使用される陳列用箱体に関する。
【背景技術】
【０００２】
各種商品を売り場に陳列する際に使用される陳列台、陳列棚などについては、従来、様々な構造やデザインのものが提案されているが、本考案に関連するものとして、包装箱を利用した包装展示兼用箱がある（例えば、特許文献１参照。）。
【０００３】
この包装展示兼用箱は、包装箱の側壁に縦折線を設け、側フラップに切離線を連続して設け、側フラップを切離線沿いに切断し、側壁を縦折線沿いに屈曲させて多角形の周壁を形成し、支持材及び底パッドを内挿して保形することにより、底パッド上に商品を盛り上げて展示できるようにしたものである。
【先行技術文献】
【特許文献】
【０００４】
【特許文献１】特開２００２−３７２４５号公報
【考案の概要】
【考案が解決しようとする課題】
【０００５】
特許文献１記載の包装展示兼用箱は、包装箱を利用して展示台を形成するものであるため、売り場などで専用の展示台を用意する必要がなくなる点において優れているが、構造が複雑であり、包装箱から展示台を形成するまでの組み立て作業も煩雑である。また、展示台を組み立てる工程において側フラップが切離線沿いに切断されるため、一旦、展示箱を形成した後は、再び包装箱として利用することは極めて困難である。
【０００６】
本考案が解決しようとする課題は、組み立てが簡単で強度に優れ、包装箱としても利用可能な陳列用箱体を提供することにある。
【課題を解決するための手段】
【０００７】
本考案の陳列用箱体は、折り曲げ可能な板材で形成され、対向する二つの開口面が残余の四つの平面を構成する隔壁からそれぞれ延設された複数のフラップによって開閉可能に閉塞される六面体形状の箱本体と、前記開口面を閉塞した前記フラップに内接した状態で前記箱本体内に配置される支持部材と、を備え、前記開口面が前記フラップで閉塞された状態を保つためのフラップ拘束手段を前記フラップと前記支持部材との間若しくは前記フラップ同士の間の少なくとも一方に設けたことを特徴とする。
【０００８】
このような構成とすれば、箱本体内に支持部材を配置して二つの開口面を複数のフラップで閉塞し、各フラップをフラップ拘束手段で拘束するだけで、六面体形状の陳列用箱体を形成することができるので、組み立てが簡単である。また、各フラップはフラップ拘束手段によって開かないように保持されるとともに、箱本体内に配置された支持部材がフラップを内側から支えた状態となるため、強度も優れている。さらに、フラップ拘束手段を解除してフラップを開けば開口面は開放され、支持部材も取り出し可能となるため、包装箱としての利用も可能である。
【０００９】
ここで、前記支持部材として、二枚の板材を前記開口面と直交する姿勢でＸ状に交差させて配置すれば、シンプルな構成でありながら、優れた支持機能が得られる。
【００１０】
一方、前記フラップ拘束手段として、前記フラップで前記開口面を閉塞したときに前記支持部材に係合する係止片を前記フラップに設ければ、箱本体に配置された支持部材を利用してフラップを拘束することができるため、構造の複雑化及び組み立て作業の煩雑化を回避しつつ、開口面を閉塞状態に保つことができる。
【００１１】
また、前記フラップ拘束手段として、前記フラップで前記開口面を閉塞したときに当該フラップの一部が嵌入可能なスリットを他の前記フラップに開設すれば、フラップ同士の相互作用により、確実な閉塞状態を得ることができる。
【００１２】
さらに、対向する二つの前記開口面のうちの一方の前記開口面を閉塞する前記フラップから略垂直方向に起立する舌片部を設け、他方の前記開口面の他方を閉塞する前記フラップに前記舌片部が嵌入可能な長孔部を設けることもできる。
【００１３】
このような構成とすれば、当該陳列用箱体を積み重ねる際に、上下方向に隣接する陳列用箱体の一方の陳列用箱体のフラップから起立する舌片部を、他方の陳列用箱体のフラップに開設された長孔部に嵌入させることにより、上下方向に隣接する陳列用箱体同士は互いに水平方向に動かないように拘束された状態となるため、複数の陳列用箱体を積み重ねて使用する際の強度及び安定性が向上する。
【考案の効果】
【００１４】
本考案により、組み立てが簡単で、強度に優れ、包装箱としても利用可能な陳列用箱体を提供することができる。
【図面の簡単な説明】
【００１５】
【図１】本考案の実施形態である陳列用箱体の組み立て手順を示す斜視図である。
【図２】図１に示す陳列用箱体を構成する箱本体の展開図である。
【図３】図１に示す陳列用箱体を構成する支持部材の分解図である。
【図４】図１に示す陳列用箱体の使用状態を示す斜視図である。
【図５】本考案のその他の実施形態である陳列用箱体を示す斜視図である。
【考案を実施するための形態】
【００１６】
以下、図面に基づいて本考案の実施形態について説明する。図１〜図３に示すように、本実施形態の陳列用箱体１０は、折り曲げ可能な板材である段ボール材で形成され、対向する二つの開口面１０ａ，１０ｂが残余の四つの平面を構成する隔壁１１，１２，１３，１４からそれぞれ延設された複数のフラップ１１ａ，１１ｂ，１２ａ，１２ｂ，１３ａ，１３ｂ，１４ａ，１４ｂによって開閉可能に閉塞される六面体形状（直方体）の箱本体１５と、開口面１０ａ，１０ｂを閉塞したフラップ１１ａ，１１ｂ，１２ａ，１２ｂ，１３ａ，１３ｂ，１４ａ，１４ｂに内接した状態で箱本体１５内に配置される平面視Ｘ状の支持部材１６と、を備えている。
【００１７】
図１（ｄ）に示すように、箱本体１５の開口面１０ａ，１０ｂがフラップ１１ａ，１１ｂ，１２ａ，１２ｂ，１３ａ，１３ｂ，１４ａ，１４ｂで閉塞された状態を保つため、フラップ１２ａ，１２ｂ，１４ａ，１４ｂと支持部材１６との間に第一フラップ拘束手段が設けられ、フラップ１１ａ，１１ｂ，１３ａ，１３ｂとフラップ１２ａ，１２ｂ，１４ａ，１４ｂとの間に第二フラップ拘束手段が設けられている。また、二枚の板材１６ａ，１６ｂを開口面１０ａ，１０ｂと直交する姿勢でＸ状に交差させて形成した支持部材１６が箱本体１５内に配置されている。
【００１８】
前記第一フラップ拘束手段として、フラップ１２ａ，１２ｂ，１４ａ，１４ｂによって開口面１０ａ，１０ｂを閉塞したときに箱本体１５内の支持部材１６に係合する係止片１２ａｐ，１２ｂｐ，１４ａｐ，１４ｂｐを、それぞれフラップ１２ａ，１２ｂ，１４ａ，１４ｂの前縁から折り曲げ可能に延設している。
【００１９】
また、前記第二フラップ拘束手段として、フラップ１１ａ，１１ｂ，１３ａ，１３ｂによって開口面１０ａ，１０ｂを閉塞したときに、当該フラップ１１ａ，１１ｂ，１３ａ，１３ｂの前縁に折り曲げ可能に延設された係止片１１ａｐ，１１ｂｐ，１３ａｐ，１３ｂｐの一部が嵌入可能なスリット１２ａｓ，１２ｂｓ，１４ａｓ，１４ｂｓを、フラップ１２ａ，１２ｂ，１４ａ，１４ｂに設けている。
【００２０】
箱本体１５は、図２に示すような形状に切断加工された段ボール材を、折り目１８，１９，２０で同じ方向に９０度ずつ折り曲げ、隔壁１１の辺縁に延設された貼着片１７を隔壁１４の内面に固着することにより形成され、図１（ａ）に示すような形状となる。支持部材１６は、図３に示すような形状に切断加工された２枚の段ボール製の板材１６ａ，１６ｂを、それぞれの板材１６ａ，１６ｂの中央に形成されたスリット１６ａｓ，１６ｂｓ同士を係合させることによって形成され、図１（ｂ）に示すように平面視形状がＸ状をなしている。板材１６ａ，１６ｂは同じ形状であり、その長辺方向の長さ１６Ｌは箱本体１５内の対角線方向の長さと等しく、その短辺方向の長さ１６Ｓは箱本体１５内の深さと等しくなるように形成されている。
【００２１】
また、板材１６ａ，１６ｂにおいて、スリット１６ａｓ，１６ｂｓの辺縁寄りの部分及びその反対側の辺縁にはそれぞれ切欠部１６ａｃ，１６ｂｃが設けられている。また、フラップ１１ａ，１１ｂ，１３ａ，１３ｂ前縁の係止片１１ａｐ，１１ｂｐ，１３ａｐ，１３ｂｐの中央には、それぞれ切欠部１１ａｃ，１１ｂｃ，１３ａｃ，１３ｂｃが形成されている。これらの切欠部１６ａｃ，１６ｂｃ及び切欠部１１ａｓ，１１ｂｓ，１３ａｓ，１３ｂｓは、図１（ｄ）に示すように陳列用箱体１０を形成したとき、フラップ１１ａ，１１ｂ，１３ａ，１３ｂと支持部材１６とが相互干渉するのを避けるための領域である。
【００２２】
一方、図２に示すように、係止片１１ａｐ，１１ｂｐ，１３ａｐ，１３ｂｐの両端寄りの部分にはそれぞれ折り目１８，１９，２０と平行方向にスリット１１ａｓ，１１ｂｓ，１３ａｓ，１３ｂｓが開設されている。これらのスリット１１ａｓ，１１ｂｓ，１３ａｓ，１３ｂｓは、図１（ｄ）に示すように陳列用箱体１０を形成したとき、スリット１２ａｓ，１２ｂｓ，１４ａｓ，１４ｂｓとそれぞれ係合する。
【００２３】
図１（ａ）〜（ｄ）に示すように、箱本体１５内に支持部材１６を配置して二つの開口面１０ａ，１０ｂをそれぞれ複数のフラップ１１ａ，１２ａ，１３ａ，１４ａ及びフラップ１４ｂ，１１ｂ，１２ｂ，１３ｂ，１４ｂで閉塞し、各フラップ１１ａ，１１ｂ，１２ａ，１２ｂ，１３ａ，１３ｂ，１４ａ，１４ｂを前述したフラップ拘束手段で拘束するだけで、六面体形状（直方体形状）の陳列用箱体１０を形成することができるので、組み立ては簡単である。
【００２４】
また、各フラップ１１ａ，１１ｂ，１２ａ，１２ｂ，１３ａ，１３ｂ，１４ａ，１４ｂはフラップ拘束手段によって開かないように保持されるとともに、箱本体１５内に配置された支持部材１６がフラップ１１ａ，１１ｂ，１２ａ，１２ｂ，１３ａ，１３ｂ，１４ａ，１４ｂを内側から支えた状態となるため、陳列用箱体１０は強度も優れている。
【００２５】
従って、図４に示すように複数の陳列用箱体１０を三次元的に組み合わせて積み上げ、最上面に陳列カゴ３１を載置すれば、例えば、果実売り場におけるフルーツ３２等の陳列台３０として使用することができる。なお、陳列台３０は使い方の一例であり、これに限定するものではないので、使用条件に応じて、陳列用箱体１０の個数や組み合わせ形態を採用することができる。
【００２６】
一方、陳列用箱体１０において、前記フラップ拘束手段を解除し、フラップ１１ａ，１２ａ，１３ａ，１４ａ若しくはフラップ１１ｂ，１２ｂ，１３ｂ，１４ｂを開けば箱本体１５の開口面１０ａ若しくは開口面１０ｂは開放され、支持部材１６も取り出し可能となるため、包装箱としての利用も可能である。
【００２７】
本実施形態では、支持部材１６として、図３に示す二枚の段ボール製の板材１６ａ，１６ｂを箱本体１５の開口面１０ａ，１０ｂと直交する姿勢でＸ状に交差させて箱本体１５内に配置しているため、シンプルな構成でありながら、優れた支持機能が得られる。
【００２８】
一方、前記第一フラップ拘束手段として、フラップ１２ａ，１２ｂ，１４ａ，１４ｂで開口面１０ａ，１０ｂを閉塞したときに箱本体１５内の支持部材１６に係合する係止片１２ａｐ，１２ｂｐ，１４ａｐ，１４ｂｐをそれぞれフラップ１２ａ，１２ｂ，１４ａ，１４ｂの前縁から折り曲げ可能に延設している。従って、箱本体１５内に配置された支持部材１６を利用してフラップ１２ａ，１２ｂ，１４ａ，１４ｂを容易に拘束することができ、構造の複雑化及び組み立て作業の煩雑化を回避しつつ、開口面１０ａ，１０ｂを閉塞状態に保つことができる。
【００２９】
また、前記第二フラップ拘束手段として、フラップ１１ａ，１１ｂ，１３ａ，１３ｂで開口面１０ａ，１０ｂを閉塞したときに当該フラップ１１ａ，１１ｂ，１３ａ，１３ｂ前縁の係止片フラップ１１ａｐ，１１ｂｐ，１３ａｐ，１３ｂｐの一部が嵌入可能なスリット１２ａｓ，１２ｂｓ，１４ａｓ，１４ｂｓをフラップ１２ａ，１２ｂ，１４ａ，１４ｂに設けている。このため、他の拘束部材などを使用することなく、フラップ１１ａ，１２ａ，１３ａ，１４ａ同士及びフラップ１１ｂ，１２ｂ，１３ｂ，１４ｂ同士の相互作用により、開口面１０ａ，１０ｂを確実に閉塞することができる。
【００３０】
次に、図５に基づいて、本考案のその他の実施形態について説明する。なお、図５において図１〜図４と同符号を付している部分は陳列用箱体１０の構成部分と同じ構造、機能を有する部分であり、説明を省略する。
【００３１】
図５に示す陳列用箱体４０においては、対向する二つの開口面（図１に示す開口面１０ａ，１０ｂに相当）のうちの上方の開口面（図１に示す開口面１０ａに相当）を閉塞するフラップ１１ａ，１３ａからそれぞれ略垂直方向に起立する複数の舌片部４１を設け、下方の開口面（図１に示す開口面１０ｂに相当）を閉塞するフラップ１１ｂ，１３ｂにそれぞれ舌片部４１が嵌入可能な複数の長孔部４２が設けられている。
【００３２】
従って、図４に示すように、複数の陳列用箱体４０を積み重ねて陳列台を形成する場合、上下方向に隣接する陳列用箱体４０のうちの一方の陳列用箱体４０のフラップ１１ａ，１３ａから起立する複数の舌片部４１を、他方の陳列用箱体４０のフラップ１１ｂ，１３ｂに開設された複数の長孔部４２にそれぞれ嵌入させることができる。これにより、上下方向に隣接する陳列用箱体４０同士は互いに水平方向に動かないように拘束された状態となるため、複数の陳列用箱体４０を積み重ねて形成される陳列台の強度及び安定性が向上する。
【産業上の利用可能性】
【００３３】
本考案の陳列用箱体は、スーパーマーケット、デパートあるいは商店などにおいて販売される各種商品を売り場に陳列する際などに広く利用することができる。
【符号の説明】
【００３４】
１０，４０  陳列用箱体
１０ａ，１０ｂ  開口面
１１，１２，１３，１４  隔壁
１１ａ，１１ｂ，１２ａ，１２ｂ，１３ａ，１３ｂ，１４ａ，１４ｂ  フラップ
１１ａｐ，１１ｂｐ，１２ａｐ，１２ｂｐ，１３ａｐ，１３ｂｐ，１４ａｐ，１４ｂｐ  係止片
１２ａｓ，１２ｂｓ，１４ａｓ，１４ｂｓ，１６ａｓ，１６ｂｓ  スリット
１１ａｓ，１１ｂｓ，１３ａｓ，１３ｂｓ，１６ａｃ，１６ｂｃ  切欠部
１５  箱本体
１６  支持部材
１６ａ，１６ｂ  板材
１６Ｌ  長辺方向の長さ
１６Ｓ  短辺方向
１７  貼着片
１８，１９，２０  折り目
３０  陳列台
３１  陳列カゴ
３２  フルーツ
４１  舌片部
４２  長孔
【図１】
0003152457.tif 000003
【図２】
0003152457.tif 000004
【図３】
0003152457.tif 000005
【図４】
0003152457.tif 000006
【図５】
0003152457.tif 000007